(57)【要約】【課題】聞き逃した場合や繰り返し説明させたい場合の再操作の煩わしさをなくし、機器の使い勝手を向上すること。【解決手段】加熱部１１と、加熱部１１を操作し動作状態を設定する複数のスイッチを有する操作部４と、設定状態を表示する表示部１２と、設定状態を音声にて報知する報知部１３と、加熱部１１の説明を行う動作説明モードに移行するモード移行部とを備え、加熱部１１の動作説明モード移行後は加熱部１１の音声による動作説明を繰り返すことにより、使用者が説明を聞き逃した場合や店頭などでの宣伝用として説明を繰り返したい場合など再度機器を操作する煩わしさをなくすことができる。【選択図】図１
2013213600.tif 000002
【特許請求の範囲】
【請求項１】
加熱部と、加熱部を操作し動作状態を設定する複数のスイッチを有する操作部と、設定状態を表示する表示部と、設定状態を音声にて報知する報知部と、前記加熱部の説明を行う動作説明モードに移行する第１のモード移行部とを備え、
前記加熱部の前記動作説明モード移行後は前記加熱部の音声による動作説明を繰り返す加熱調理器。
【請求項２】
主電源のオンオフを入力する主電源スイッチを備え、
前記主電源スイッチを押下し、他の操作をしないで引き続き前記第１のモード移行部の操作を行った場合に前記加熱部の前記動作説明モード移行し、前記加熱部の音声による動作説明を繰り返す請求項第１に記載の加熱調理器。
【請求項３】
前記操作部のうち１つまたは複数のスイッチを押下することで移行する第２のモード移行部において、前記加熱部の前記動作説明モード移行した場合、前記加熱部の音声による動作説明を繰り返す請求項１に記載の加熱調理器。
【請求項４】
音声に加え、表示や光で動作説明する請求項第１〜３のいずれか１項に記載の加熱調理器。
【発明の詳細な説明】
【技術分野】
【０００１】
本発明は、一般家庭及び業務用として使用される加熱調理器に関するものである。
【背景技術】
【０００２】
従来、この種の加熱調理器は、直火を使わない安全な加熱装置として普及しつつあり、視覚障害者や高齢者にも安全な加熱装置として認識されている。また、便利性を向上させるため、操作スイッチに連動して音声を発生させるものが種々提案されている。
【０００３】
例えば、誘導加熱調理器は、現在の動作状態を確認する確認スイッチを備え、確認スイッチの操作で現在の動作状態を音声報知手段により報知している。例えば「湯沸かし動作中です。」、「湯沸かし後保温中です。」、「揚げ物動作中です。」など、行われている加熱動作の現在の状態を簡潔に表現する内容にしてある（例えば、特許文献１参照）。
【０００４】
使用者が加熱開始手段を操作すると、その操作内容を音声報知手段で確認することによって、誤認による誤操作を低減させる方法も考案されている（例えば、特許文献２参照）。
【先行技術文献】
【特許文献】
【０００５】
【特許文献１】特開２００７−０７８３０３号公報
【特許文献２】特開２００７−１９４０１０号公報
【発明の概要】
【発明が解決しようとする課題】
【０００６】
しかしながら、前記従来の構成では、多くの機能や操作方法を詳しく説明するものの、使用者が説明を聞き逃した場合には再度使用者が機器を操作しなければならなかった。また、店頭などでの宣伝用として説明を繰り返したい場合も再度機器を操作しなければならないという課題を有していた。
【０００７】
本発明は、前記従来の課題を解決するもので、機器の操作方法を使用者に説明する動作説明モードの繰り返すこととし、聞き逃した場合や繰り返し説明させたい場合の再操作の煩わしさをなくし、機器の使い勝手を向上することができる加熱調理器を提供することを目的とする。
【課題を解決するための手段】
【０００８】
前記従来の課題を解決するために、本発明の加熱調理器は、加熱部と、加熱部を操作し動作状態を設定する複数のスイッチを有する操作部と、設定状態を表示する表示部と、設定状態を音声にて報知する報知部と、前記加熱部の音声による説明を行う動作説明モードに移行するモード移行部とを備え、
前記動作説明モード移行後、前記加熱部の前記動作説明モード移行後は前記加熱部の動作説明を繰り返すこととしたものである。
【０００９】
機器の操作方法を使用者に説明する動作説明モードの繰り返すこととし、聞き逃した場合や繰り返し説明させたい場合の再操作の煩わしさをなくし、機器の使い勝手を向上することができる加熱調理器を提供することを目的とする。
【発明の効果】
【００１０】
本発明の加熱調理器は、聞き逃した場合や繰り返し説明させたい場合の再操作の煩わしさをなくし、使用者の使い勝手や機能やスイッチに対する理解度を向上することができる。
【図面の簡単な説明】
【００１１】
【図１】本発明の実施の形態１、２における加熱調理器のブロック図
【図２】本発明の実施の形態１におけるトッププレート１の上面図
【図３】本発明の実施の形態１における加熱調理器の動作フローチャート
【図４】発明の第１の実施の形態における動作説明モードの動作フローチャート
【図５Ａ】本発明の実施の形態１における動作説明モードの表示部を示す図
【図５Ｂ】本発明の実施の形態１における動作説明モードの表示部を示す図
【図５Ｃ】本発明の実施の形態１における動作説明モードの表示部を示す図
【図５Ｄ】本発明の実施の形態１における動作説明モードの表示部を示す図
【図５Ｅ】本発明の実施の形態１における動作説明モードの表示部を示す図
【図５Ｆ】本発明の実施の形態１における動作説明モードの表示部を示す図
【図５Ｇ】本発明の実施の形態１における動作説明モードの表示部を示す図
【図６】本発明の実施の形態２における加熱調理器のデモ専用モード時の動作説明モード中のフローチャート
【発明を実施するための形態】
【００１２】
第１の発明は、加熱部と、加熱部を操作し動作状態を設定する複数のスイッチを有する操作部と、設定状態を表示する表示部と、設定状態を音声にて報知する報知部と、前記加熱部の説明を行う動作説明モードに移行するモード移行部とを備え、
前記加熱部の前記動作説明モード移行後は前記加熱部の音声による動作説明を繰り返すことにより、聞き逃した場合や繰り返し説明させたい場合の再操作の煩わしさをなくし、使用者の使い勝手や機能やスイッチに対する理解度を向上することができる。
【００１３】
第２の発明は、主電源のオンオフを入力する主電源スイッチを備え、前記主電源スイッチを押下し、他の操作をしないで引き続き前記モード移行部の操作を行った場合に前記加熱部の前記動作説明モード移行し、前記加熱部の音声による動作説明を繰り返すことにより、聞き逃した場合や繰り返し説明させたい場合の再操作の煩わしさをなくし、使用者の使い勝手や機能やスイッチに対する理解度を向上することができるだけでなく、使用者にとって説明が不要な場合は容易に前記動作説明モードに移行しないという効果が得られる。
【００１４】
第３の発明は、特に第３の発明において、前記動作説明モード移行後、前記所定スイッチを所定時間内に操作しない場合、前記動作説明モードから前記動作説明モード以外のモードへ移行することにより、使用者が意図せず前記動作説明モードに移行した場合などに、容易に前記動作説明モード以外に移行することができ、使い勝手をさらに向上することもできる。
【００１５】
第４の発明は、前記操作部のうち１つまたは複数のスイッチを押下することで移行する第２のモード移行部において、前記加熱部の前記動作説明モード移行した場合、前記加熱部の音声による動作説明を繰り返すことにより、聞き逃した場合や繰り返し説明させたい場合の再操作の煩わしさをなくし、使用者の使い勝手や機能やスイッチに対する理解度を向上することができるだけでなく、説明を繰り返したい場合の機器の再操作という課題を解決することができる。
【００１６】
以下、本発明の実施の形態について、図面を参照しながら説明する。なお、この実施形態によって本発明が限定されるものではない。
【００１７】
（実施の形態１）
図１は、本発明の第１の実施の形態における加熱調理器のブロック図を示すものである。図２は、本発明の第１の実施の形態におけるトッププレート１の上面図を示すものである。図３は、本発明の第１の実施の形態における加熱調理器の動作フロー図を示すものである。
【００１８】
図１において本発明の実施形態の誘導加熱調理器は、機器上面に設けられたトッププレート１と、高周波磁界を発生させることによって、トッププレート１上の被加熱物１０を誘導加熱する加熱コイル２（外コイル２ａ及び内コイル２ｂ）と、を備える。トッププレート１は、ガラスなどの電気絶縁物からなり、赤外線を透過する。加熱コイル２は、トッププレート１の下方に設けられている。加熱コイル２は、同心円状に２分割されて外コイル２ａと内コイル２ｂを形成している。外コイル２ａと内コイル２ｂの間に、隙間が設けられている。被加熱物１０は、加熱コイル２の高周波磁界により発生した渦電流によって、発熱する。
【００１９】
トッププレート１の使用者側には、主電源のオンオフを入力する主電源スイッチ１５と、加熱の開始／停止などを使用者が指示できる操作部４には、最終操作したスイッチの名称を説明したり、動作説明モードに移行したりするための音声スイッチ１６を含む構成としている。また、操作部４と被加熱物１０との間に加熱モードや火力などの状態を表示する表示部１２が設けられている。操作部４及び表示部１２の下方には、操作部４及び表示部１２を照射するための光源１４が設けられている。
【００２０】
赤外線センサ３は、外コイル２ａと内コイル２ｂとの間の隙間の下方に設けられる。この位置は、加熱コイル２の高周波磁界が強いため、被加熱物１０の底面の略最高温度を検出することができる。被加熱物１０の底面から放射された、被加熱物１０の底面温度に基づく赤外線は、トッププレート１を通って入射し、外コイル２ａと内コイル２ｂとの間の隙間を通って、赤外線センサ３により受光される。赤外線センサ３は、受光した赤外線を検出し、検出した赤外線量に基づいた赤外線検出信号を出力する。
【００２１】
加熱コイル２の下方には、商用電源５から供給される交流電圧を直流電圧に変換する整流平滑部６と、整流平滑部６から直流電圧を供給されて高周波電流を生成し、生成した高周波電流を加熱コイル２に出力するインバータ回路７とが設けられる。また、商用電源５と整流平滑部６との間に、商用電源５から整流平滑部６に流れる入力電流を検出するための入力電流検出部９が設けられている。操作部４から送信される信号及び赤外線センサ３が検出した温度に基づいて、スイッチング素子のオン／オフを制御し、インバータ回路７のスイッチング素子のオン／オフを制御する制御部８を有し、インバータ回路７から加熱コイル２に供給される高周波電流を制御する。
【００２２】
また、報知部１３を有し、最終操作したスイッチの名称を説明したり、動作説明モードなど各設定状態に合わせた音声データを出力するためのスピーカー等で構成される。
【００２３】
図２に、トッププレート１の上面図を示す。トッププレート１には、被加熱物１０の載置場所を示す、少なくとも１つ以上（本実施形態では、加熱部１１ａと加熱部１１ｂの２つ）が印刷により表示されている。加熱コイル２は、加熱部１１ａ、加熱部１１ｂの下方にそれぞれ配置される。加熱部１１ａ、加熱部１１ｂの手前側（使用者側）に、表示部１２が設けられる。表示部１２は、加熱コイル２の出力の大きさ、タイマの残り時間、動作モードを識別するための文字などを表示する。動作モードとは、インバータ回路７の制御による加熱動作の種類であり、例えば、炒めものをするのに適した予熱を行う予熱モード、通常の加熱を行う加熱モード、揚げ物をするのに適した油温調整を行う揚げ物モード、焼き物をするのに適した予熱を行い、引き続き温度調整を行う焼き物モードがある。また
、本実施例では動作モードに主電源スイッチ１５押下後、引き続き音声スイッチ１６を操作することによって移行する動作説明モードも含む。また、表示部１２には動作説明モードに移行した後、移行したことを案内する動作説明モード表示部１２ａを含む。
【００２４】
なお、加熱部は第１と第２の２つに限るものではない。
【００２５】
操作部４は、表示部１２の手前側（使用者側）に設けられる。操作部４は、複数の静電容量式のスイッチである切／入キー４ａ〜−キー４ｆを含む。スイッチである切／入キー４ａ〜＋キー４ｅは、調理に関する指示を入力するためのスイッチであって、加熱部１１ａ、加熱部１１ｂの数に対応させて設けられている。加熱部１１ａは操作部４Ａに対応する。加熱部１１ｂは操作部４Ｂに対応する。また、動作説明モードに移行するための音声スイッチ１６も含む。
【００２６】
各スイッチである切／入キー４ａ〜−キー４ｆには、それぞれ特定の機能が割り当てられている。例えば、切／入キー４ａは、調理の開始及び終了を制御する機能が割り当てられたスイッチである。
【００２７】
スイッチであるメニューキー４ｂは、「加熱」「予熱」「揚げ物」「焼き物」の調理メニューに適した動作モードに切り換える機能が割り当てられたメニュースイッチである。メニューキー４ｂを押下することによって、「加熱」「予熱」「揚げ物」「焼き物」の順に文字やイラストが点滅し、動作モードの選択が切り換えられる。「加熱」「予熱」「揚げ物」「焼き物」の動作モードが選択されているときに、スイッチである切／入キー４ａが操作されると、選択されている動作モードが決定され、決定された動作モードに対応する表示が点灯し、決定されなかった動作モードに対応する表示が消灯する。
【００２８】
スイッチであるアップキー４ｃは、火力を上げる機能が割り当てられた火力設定スイッチである。スイッチであるダウンキー４ｄは、火力を下げる機能が割り当てられた火力設定スイッチである。
【００２９】
なお、操作部４は静電容量式のスイッチとしたが、これに限るものではなくタクトスイッチや抵抗膜式、画像認識式、赤外遮光式などのタッチパネルで構成してもよい。
【００３０】
図３に、本発明の第１の実施の形態における動作フロー図を示す。
【００３１】
本実施の形態においては、前記図１、２のように構成された加熱調理器について、図３の動作フロー図により説明をする。
【００３２】
図３において、主電源スイッチ１５をオンし、ｓｔｅｐ１へ移行する。
【００３３】
ｓｔｅｐ１では、動作説明モードに移行可能であることを表示部１２や報知部１３にて案内する。
【００３４】
その後、ｓｔｅｐ１ａに移行し、操作部４へのスイッチの入力が有るか無いかの確認を行う。入力があればｓｔｅｐ２に移行し、なければｓｔｅｐ１ａを繰り返し、入力の確認を継続する。
【００３５】
ｓｔｅｐ２では、入力された操作が音声スイッチ１６によるものかどうかを判定する。音声スイッチ１６によるものであれば動作説明モードへ移行し、音声スイッチ１６以外の入力であれば通常モードであるｓｔｅｐＡへ移行する。
【００３６】
動作説明モード移行後の詳細については図４を用いて後述する。
また、ｓｔｅｐ２にて入力された操作が音声スイッチ１６による入力でなければｓｔｅｐＡへ移行するが、ｓｔｅｐＡは、前記入力に対応する動作説明モード以外のメニュー選択や加熱調理などの通常モード動作を行う。
【００３７】
ｓｔｅｐＢでは、音声スイッチ１６の操作があるかどうかの判定を行う。もし、音声スイッチ１６の操作があればｓｔｅｐＣへ移行し、なければそのまま通常モード動作を継続する。
【００３８】
ｓｔｅｐＣで、通常モード動作時の音声スイッチ１６による入力では、動作説明モード以外の動作を行う。例えば、一度操作し、説明したスイッチの名称を報知部１３にて使用者に聞き直しのため再度説明する動作などがある。
【００３９】
なお、本実施の形態で通常モード動作時の音声スイッチ１６の動作を聞き直し動作としたが、音声出力の音量切り替えや音声入り切りなど音声に関わる前記ｓｔｅｐ４の動作説明モード以外の他の報知内容もしくは関連動作としてもよい。
【００４０】
ｓｔｅｐＣでの各スイッチの名称説明終了後、ｓｔｅｐＤへ移行する。
【００４１】
ｓｔｅｐＤは、主電源スイッチ１５がオフされたかどうかを判定する。オフされたのであれば誘導加熱調理器の動作を終了し、オフされていないのであればｓｔｅｐＢへ移行する。
【００４２】
また、ｓｔｅｐ３、ｓｔｅｐ３ａ〜３ｄ、ｓｔｅｐ４ａ、ｓｔｅｐ４ｂ、ｓｔｅｐ４ｄ、ｓｔｅｐ４ｅの動作説明モード中、主電源スイッチ１５や音声スイッチ１６などの入力でも動作説明モードを抜けることができる構成とする。
【００４３】
図４に、本発明の第１の実施の形態における動作説明モードの動作フロー図を示す。
【００４４】
本実施の形態においては、前記図１、２のように構成された加熱調理器の図３における特に、動作説明モード中の動作について、図４のフロー図により説明をする。
【００４５】
図４において、動作説明モード移行後、ｓｔｅｐ３は機器の操作方法を説明する動作説明モードに移行したことを表示部１２や報知部１３にて使用者に報知する。
【００４６】
なお、動作説明モード移行の表示部１２を設ける構成としたが、これに限るものではなく、通常使用している表示を利用して、点滅表示や組み合わせの表示にて実現することも可能であるし、さらには、音声のみで移行したことを説明し、動作説明モードに移行したことを表示部で敢えて表示することを避ける構成としてもよい。
【００４７】
ｓｔｅｐ３ａに移行し、操作部４Ａへのスイッチの入力が有るか無いかの確認を行う。操作部４Ａへ入力があればｓｔｅｐ４ａに移行し加熱部１１ａの動作説明を行う。操作部４Ａへ入力がなければｓｔｅｐ３ｂに移行する。
【００４８】
ｓｔｅｐ３ｂは、操作部４Ｂへのスイッチの入力が有るか無いかの確認を行う。操作部４Ｂへ入力があればｓｔｅｐ４ｂに移行し加熱部１１ｂの動作説明を行う。操作部４Ｂへ入力がなければｓｔｅｐ３ｃに移行する。
【００４９】
ｓｔｅｐ３ｃは、主電源スイッチ１５への入力が有るか無いかの確認を行う。主電源スイッチ１５へ入力があれば主電源オフモードへ移行する。主電源スイッチ１５へ入力がな
ければｓｔｅｐ３ｄに移行する。主電源オフモードとは電源切の状態であり、再度、主電源スイッチ１５へ入力を与えると通常モードへ移行するものである。
【００５０】
ｓｔｅｐ３ｄは、その他のスイッチへ入力があればｓｔｅｐ４ｄに移行し、その他のスイッチへの入力を無効とする。その他のスイッチへ入力がなければｓｔｅｐ４ｅに移行する。
【００５１】
ｓｔｅｐ４ｅは、加熱部１１ａと加熱部１１ｂの動作説明を行う。
【００５２】
このような構成にすることにより、機器の操作方法を使用者に説明することができるだけでなく、使用者が聞きたい機能や操作スイッチの説明を選択することができる。
【００５３】
ｓｔｅｐ４ａ、ｓｔｅｐ４ｂ、ｓｔｅｐ４ｅは終了後、１度だけ繰り返した後、動作説明モードへ戻る。ｓｔｅｐ４ｄは繰り返さずに動作説明モードへ戻る。
【００５４】
図５Ａ〜図５Ｇに、本発明の実施の形態１における動作説明モードの表示部を示す。
【００５５】
図５Ａは、全点灯状態を示す。図５Ｂは、左右のメニューキー、動作説明モード表示部点灯状態を示す。
【００５６】
動作説明モードに移行すると、左右ヒーターのメニューキー４ｂ、動作説明モード表示部１２ａが点滅し（図５Ｃ）、報知部１３にて「操作方法の説明をはじめます。左のヒーターについて説明を聞くときは、左の点滅しているメニューボタンを押してください。右のヒーターについて説明を聞くときは、右の点滅しているメニューボタンを押してください。説明時間は、全体で約８分です。説明を終了したいときは、音声ボタンを押してください。」と報知する。
【００５７】
なお、従来の誘導加熱調理器では魚を焼くグリルヒーターやラジエントヒーターなどを有する構成も存在しており、グリルヒーターやラジエントヒーターを動作説明モード内で選択して説明する構成にしてもよい。
【００５８】
左ヒーターのメニューキー４ｂを押下し、左ヒーターの動作説明を選択すると、左ヒーターのメニューキー４ｂ、切／入キー４ａが点灯し、動作説明モード表示部１２ａが点滅し（図５Ｄ）、「左のヒーターについて説明します。調理をはじめる時は、トッププレート上に点灯しているメニューボタンを押します。メニューボタンを押すと、調理メニューの文字が点灯します。」と報知部１３にて報知する。引き続き、左ヒーターのメニューキー４ｂを実際に押下したかのような表示を行い、メニューを順次選択できることを知らせ、「メニューボタンを押すごとに、文字の点滅する位置が変わり、調理したいメニューを選択できます。」と報知部１３にて報知する。
【００５９】
引き続き、メニューキー４ｂを押下したかのような表示を行い（図５Ｆ）、加熱の文字が点滅している状態で切／入キー４ａを押下したかのような表示を行う。これにより、＋キー４ｅ、−キー４ｆ、アップキー４ｃ、ダウンキー４ｄ、切／入キー４ａ、火力バーである火力表示部１２ｂ、選択されていないメニュー表示部１２ｃが点灯し、選択されているメニュー表示部（ここでは加熱）１２ｃ、動作説明モード表示部１２ａは点滅し（図５Ｅ）、「通常の加熱調理を行うときはメニューボタンを押して、加熱の文字が点滅している状態にします。その状態で、スタートボタンを押すと、加熱を始めます。調理を終了するときは、切ボタンを押し、加熱を停止します。」と報知部１３にて報知する。
【００６０】
次に、アップキー４ｃを押下したかのような表示を行い、火力バーである火力表示部１
２ｂを「火力９」まで変化させると同時に「加熱中、△ボタンを押すと、火力を変更できます。」と報知する。
【００６１】
次に、タイマキーである＋キー４ｅを押下したかのような表示を行い、タイマ表示部１２ｄを例えば「０：０５」と表示し、「また、タイマーボタンを押すと、タイマを設定でき、残り時間が表示されます。時間が経過し表示された残り時間がゼロになると、自動的に加熱を停止します。」と報知部１３にて報知する。
【００６２】
なお、タイマ表示部１２ｄにてタイマ残り時間を表示した後、タイマカウントダウン表示を行ってもよい。
【００６３】
左ヒーターの動作説明モードが終了すると、再度左ヒーターの動作説明モードを繰り返す。最後に、左右ヒーターのメニューキー４ｂ、動作説明モード表示部１２ａが点灯し（図５Ｇ）、「詳しい説明については、取り扱い説明書をご確認ください。」と報知部１３にて報知する。そして、再度各動作説明モードの選択状態になる。
【００６４】
このような一連の表示と報知の連動した動作により、あたかも実際に操作しているかのような感覚で操作方法を理解することができ、聞き逃した場合や繰り返し説明させたい場合の再操作の煩わしさをなくし、使用者の使い勝手や機能やスイッチに対する理解度を向上することができる。
【００６５】
以上のように、構成された誘導加熱調理機においては前記動作説明モード移行後、前記複数のスイッチの内、操作方法の説明が開始可能な所定スイッチを押下すると、表示部１２と報知部１３の少なくともいずれかで前記所定スイッチの指定する加熱部１１ａもしくは加熱部１１ｂのみの操作方法の説明を開始することにより、機器の操作方法を使用者に説明することができるだけでなく、使用者が聞きたい機能や操作スイッチの説明を選択することができるので、容易に使用者の使い勝手や機能やスイッチに対する理解度を向上することができる。
【００６６】
また、前記動作説明モード移行後、前記所定スイッチを所定時間内に操作しない場合、加熱部１１ａと加熱部１１ｂの両方の説明を開始することにより、前記複数のスイッチの内、操作方法の説明が開始可能な所定スイッチを押下する操作すらわからないという状態での動作説明においても聞き逃した場合や繰り返し説明させたい場合の再操作の煩わしさという課題を解決することもできる。
【００６７】
（実施の形態２）
本実施の形態においては、前記図１のように構成された加熱調理器について、前記実施形態１をベースとした図６のフロー図により説明を行う。
【００６８】
図２に、本発明の実施の形態１におけるトッププレート１の上面図を示す。
操作部４のうち１つまたは複数のスイッチを押下することで（例えばダウンキー４ｄ、切／入キー４ａ、＋キー４ｅ、−キー４ｆを押下しながら主電源スイッチ１５を押下すると、）
実際には加熱を行わず加熱時の表示や音声のみ出力する使用者が通常操作することのないデモ専用モードに移行する。
【００６９】
図６に、本発明の第２の実施の形態における加熱調理器のデモ専用モード時の動作説明モード中のフロー図を示す。
【００７０】
本実施の形態においては、ｓｔｅｐ４ａ、ｓｔｅｐ４ｂ、ｓｔｅｐ４ｅをループし、動
作説明を無限に繰り返す。動作説明中は主電源スイッチ１５を押下されたときのみ主電源オフモードへ移行する。動作説明中は主電源スイッチ１５押下以外の操作は受け付けない。再度、主電源スイッチ１５を押下するとデモ専用モード時の初期モード（動作説明モード移行前状態）へ移行する。デモ専用モード解除は再度、ダウンキー４ｄ、切／入キー４ａ、＋キー４ｅ、−キー４ｆを押下しながら主電源スイッチ１５を押下する。
【００７１】
なお、繰り返しの回数は使用者が通常操作する回数より多ければ何回でもよく回数無限とは限らない。
【００７２】
これにより、店頭などでの宣伝用として説明を繰り返したい場合も再度機器を操作する煩わしさをなくすことができる。
【産業上の利用可能性】
【００７３】
以上のように、本発明にかかる加熱調理器は、加熱部の動作説明モード移行後は加熱部の音声による動作説明を繰り返すことにより、聞き逃した場合や繰り返し説明させたい場合の再操作の煩わしさをなくし、機器の使い勝手を向上することができるので、音声の説明機能を備えた家庭用あるいは業務用の加熱調理器に適用できる。
【符号の説明】
【００７４】
１  トッププレート
２  加熱コイル
３  赤外線センサ
４、４Ａ、４Ｂ  操作部
４ａ  切／入キー
４ｂ  メニューキー
４ｃ  アップキー
４ｄ  ダウンキー
４ｅ  ＋キー
４ｆ  −キー
５  商用電源
６  整流平滑部
７  インバータ回路
８  制御部
９  入力電流検出部
１０  被加熱物
１１、１１ａ、１１ｂ  加熱部
１２  表示部
１２ａ  動作説明モード表示部
１２ｂ  火力表示部
１２ｃ  メニュー表示部
１２ｄ  タイマ表示部
１３  報知部
１４  光源
１５  主電源スイッチ
１６  音声スイッチ
【図１】
2013213600.tif 000003
【図２】
2013213600.tif 000004
【図３】
2013213600.tif 000005
【図４】
2013213600.tif 000006
【図５Ａ】
2013213600.tif 000007
【図５Ｂ】
2013213600.tif 000008
【図５Ｃ】
2013213600.tif 000009
【図５Ｄ】
2013213600.tif 000010
【図５Ｅ】
2013213600.tif 000011
【図５Ｆ】
2013213600.tif 000012
【図５Ｇ】
2013213600.tif 000013
【図６】
2013213600.tif 000014